(57)【要約】【課題】円形記録媒体と印刷装置とからなる印刷システムにおいて、円形記録媒体に外部から取り込んだ電子データを書き込み、その書き込まれた電子データに関連する画像を円形記録媒体のレーベル面に印刷する一連の操作を簡単且つ確実に行う。【解決手段】円形記録媒体はデータ記録面とレーベル面と無線ＩＣタグとを備え、印刷装置は無線ＩＣリーダ／ライタ部とデータ記録部とデータ取込部とを備える。そして、印刷システムは、データ取込部から取り込まれた電子データをデータ記録部を用いてデータ記録面に書き込む際に無線ＩＣリーダ／ライタ部を用いて無線ＩＣタグにデータ取込部から取り込まれた電子データに関連する特定画像データを書き込む特定画像記録手段と、無線ＩＣリーダ／ライタ部を用いて無線ＩＣタグから前記特定画像データを読み込みその読み込んだ特定画像データに基づく画像をレーベル面に印刷するレーベル印刷手段とを備える。【選択図】図４
2009208465.tif 000002
【特許請求の範囲】
【請求項１】
円形記録媒体と印刷装置とからなる印刷システムであって、
前記円形記録媒体は、
電子データの記録が可能なデータ記録面と、
前記データ記録面の裏面であって前記印刷装置による印刷が可能なレーベル面と、
前記レーベル面側に貼り付け乃至埋め込まれた無線ＩＣタグとを備え、
前記印刷装置は、
前記無線ＩＣタグに電子データを読み書きする為の無線ＩＣリーダ／ライタ部と、
前記データ記録面に電子データを書き込む為のデータ記録部と、
外部から電子データを取り込む為のデータ取込部と、
前記データ取込部から取り込まれた電子データを前記データ記録部を用いて前記データ記録面に書き込む際に、前記無線ＩＣリーダ／ライタ部を用いて前記無線ＩＣタグに該データ取込部から取り込まれた電子データに関連する特定画像データを書き込む特定画像記録手段と、
前記無線ＩＣリーダ／ライタ部を用いて前記無線ＩＣタグから前記特定画像データを読み込み、当該読み込んだ特定画像データに基づく画像を前記レーベル面に印刷するレーベル印刷手段とを備える
ことを特徴とする印刷システム。
【請求項２】
前記特定画像データは、前記データ取込部から取り込まれた電子データの情報を表すレーベル印刷用の画像データであることを特徴とする請求項１に記載の印刷システム。
【請求項３】
前記データ取込部から取り込まれた電子データは、画像データであり、
前記レーベル印刷用の画像データは、前記画像データのサムネイル画像であることを特徴とする請求項２に記載の印刷システム。
【請求項４】
前記データ取込部から取り込まれた電子データは、音楽データであることを特徴とする請求項２に記載の印刷システム。
【請求項５】
円形記録媒体と印刷装置とからなる印刷システムの制御方法であって、
前記円形記録媒体は、
電子データの記録が可能なデータ記録面と、
前記データ記録面の裏面であって前記印刷装置による印刷が可能なレーベル面と、
前記レーベル面に貼り付け乃至埋め込まれた無線ＩＣタグとを備え、
前記印刷装置は、
前記無線ＩＣタグに電子データを読み書きする為の無線ＩＣリーダ／ライタ部と、
前記データ記録面に電子データを書き込む為のデータ記録部と、
外部から電子データを取り込む為のデータ取込部とを備え、
前記データ取込部から取り込まれた電子データを前記データ記録部を用いて前記データ記録面に書き込む際に、前記無線ＩＣリーダ／ライタ部を用いて前記無線ＩＣタグに該データ取込部から取り込まれた電子データに関連する特定画像データを書き込む特定画像記録工程と、
前記無線ＩＣリーダ／ライタ部を用いて前記無線ＩＣタグから前記特定画像データを読み込み、当該読み込んだ特定画像データに基づく画像を前記レーベル面に印刷するレーベル印刷工程とを備える
ことを特徴とする印刷システムの制御方法。
【請求項６】
円形記録媒体と印刷装置とからなる印刷システムの制御プログラムであって、
前記円形記録媒体は、
電子データの記録が可能なデータ記録面と、
前記データ記録面の裏面であって前記印刷装置による印刷が可能なレーベル面と、
前記レーベル面に貼り付け乃至埋め込まれた無線ＩＣタグとを備え、
前記印刷装置は、
前記無線ＩＣタグに電子データを読み書きする為の無線ＩＣリーダ／ライタ部と、
前記データ記録面に電子データを書き込む為のデータ記録部と、
外部から電子データを取り込む為のデータ取込部とを備え、
前記データ取込部から取り込まれた電子データを前記データ記録部を用いて前記データ記録面に書き込む際に、前記無線ＩＣリーダ／ライタ部を用いて前記無線ＩＣタグに該データ取込部から取り込まれた電子データに関連する特定画像データを書き込む特定画像記録機能と、
前記無線ＩＣリーダ／ライタ部を用いて前記無線ＩＣタグから前記特定画像データを読み込み、当該読み込んだ特定画像データに基づく画像を前記レーベル面に印刷するレーベル印刷機能と
を、コンピュータに実現させることを特徴とする印刷システムの制御プログラム。
【請求項７】
円形記録媒体のレーベル面側に貼り付け乃至埋め込まれた無線ＩＣタグに電子データを読み書きする為の無線ＩＣリーダ／ライタ部と、
前記円形記録媒体のデータ記録面に電子データを書き込む為のデータ記録部と、
外部から電子データを取り込む為のデータ取込部と、
前記データ取込部から取り込まれた電子データを前記データ記録部を用いて前記データ記録面に書き込む際に、前記無線ＩＣリーダ／ライタ部を用いて前記無線ＩＣタグに該データ取込部から取り込まれた電子データに関連する特定画像データを書き込む特定画像記録手段と、
前記無線ＩＣリーダ／ライタ部を用いて前記無線ＩＣタグから前記特定画像データを読み込み、当該読み込んだ特定画像データに基づく画像を前記レーベル面に印刷するレーベル印刷手段と
を、備えることを特徴とする印刷装置。
【請求項８】
前記印刷装置は、キャリッジを備え、
前記ＩＣリーダ／ライタ部は前記キャリッジに設けられていることを特徴とする請求項７に記載の印刷装置。
【発明の詳細な説明】
【技術分野】
【０００１】
本発明は、印刷システム、印刷システムの制御方法、印刷システムの制御プログラム、及び印刷装置に関し、特に、円形記録媒体のレーベル面へのレーベル印刷に関する。
【背景技術】
【０００２】
微小なＩＣチップとチップ用アンテナを備え、電磁誘導により電力を得てＩＣチップ内に電気的に電子データを書き込みまたは読み出すことのできるＮＦＣ（Near Field Communication）タグに代表されるＲＦＩＤ（Radio Frequency-IDentification）タグ等の非接触型の無線ＩＣタグがよく知られている。無線ＩＣタグは、微小なＩＣチップに種々の電子データを記録しておき、電波や電磁波を使ってこれらの電子データを読み出したり、さらに書き込んだりすることができる。そのため、様々な製品に無線ＩＣタグを貼り付け乃至埋め込み（以下、単に無線ＩＣタグを貼り付けと表した場合でも無線ＩＣタグを埋め込む場合も含むものとする）、その無線ＩＣタグに電子データを記録することによりその記録した電子データを活用することができる。例えば、無線ＩＣタグを貼り付けた製品として特許文献１には、無線ＩＣタグが貼り付けられたＣＤ（コンパクトディスク）が記載されている。
【０００３】
一方、特許文献２、３には、電子データを記録できる円形記録媒体（例えばＣＤ−Ｒ）のレーベル面に所定の画像を印刷する印刷装置が記載されている。レーベル印刷ができることに加え、外部から電子データを取り込む為のデータ取込部（例えばメモリカードドライブ）、円形記録媒体に電子データを書き込む為のデータ記録部（例えばＣＤ／ＤＶＤドライブ）を搭載する印刷装置もある。
このような印刷装置では、例えばデジタルカメラで撮影した写真が入ったメモリカード内の画像データをＣＤ／ＤＶＤに保存（バックアップ）することや、ＣＤ／ＤＶＤに保存してある内容を把握し易いようにＣＤ／ＤＶＤに保存した写真を配置した図案をＣＤ／ＤＶＤのレーベル面に印刷することができる。
【特許文献１】特開２００３−３６４３２号公報
【特許文献２】特開２００４−１２２５８３号公報
【特許文献３】特開２００６−２５３３１号公報
【発明の開示】
【発明が解決しようとする課題】
【０００４】
ところで、印刷装置の機構上の制限から、つまりＣＤ／ＤＶＤドライブ内のレンズは汚れに弱く、また印刷においてはレンズによくないインクを吹き付けることから、ＣＤ／ＤＶＤドライブ内にてレーベル印刷ができるように印刷装置を構成し難く、画像データのバックアップとレーベル印刷とを同時に行うことは困難である。従って、画像データのバックアップの後にＣＤ／ＤＶＤドライブからＣＤ／ＤＶＤメディアを取り出し、これをレーベル印刷専用の印刷トレイに乗せ替えてレーベル印刷する必要がある。
この際、レーベル印刷をバックアップ後しばらくしてから行うような場合には、ＣＤ／ＤＶＤメディア内にどんなコンテンツがあるのか外観から判別できないので、バックアップ後にＣＤ／ＤＶＤメディアに付箋を貼付するなり、レーベル印刷の直前にＣＤ／ＤＶＤドライブにメディアを入れて中身を確認するなりの操作が必要となる。更に、レーベル印刷用の図案の元になるメモリカードを装着する必要も生じる。
特に、複数のメモリカードをもつユーザーは、バックアップ後にレーベル印刷を実施する一連の操作が煩雑で時間もかかることから、メモリカードのバックアップ操作をまとめて実施し、各々のレーベル印刷は後回しにするケースが多いと思われる。このような状況においては、後のレーベル印刷において前述の操作が必要になり、大変使いづらくなると思われる。また、バックアップ機能はパーソナルコンピュータ（ＰＣ）等のホスト装置なしでメモリカードを再利用できるようにするものであり、一杯になったメモリカードの写真をＣＤ／ＤＶＤメディアに移した後は、あまり時間を置かずメモリカード内の写真を削除するのが一般的な使い方であると思われる。そうすると、レーベル印刷用の図案を例えばＣＤ／ＤＶＤメディアから読み込んでおく必要が生じる。
【０００５】
本発明は上記課題に鑑みて為されたもので、その目的とするところは、円形記録媒体に外部から取り込んだ電子データを書き込み、その書き込まれた電子データに関連する画像を円形記録媒体のレーベル面に印刷する一連の操作を、簡単且つ確実に行うことができる印刷システム、印刷システムの制御方法、印刷システムの制御プログラム、及び印刷装置を提供することにある。
【課題を解決するための手段】
【０００６】
上記目的を達成するため、本発明にかかる円形記録媒体と印刷装置とからなる印刷システムにおいて、前記円形記録媒体は、電子データの記録が可能なデータ記録面と、前記データ記録面の裏面であって前記印刷装置による印刷が可能なレーベル面と、前記レーベル面側に貼り付け乃至埋め込まれた無線ＩＣタグとを備え、前記印刷装置は、前記無線ＩＣタグに電子データを読み書きする為の無線ＩＣリーダ／ライタ部と、前記データ記録面に電子データを書き込む為のデータ記録部と、外部から電子データを取り込む為のデータ取込部とを備える。そして、印刷システムは、円形記録媒体に外部から取り込んだ電子データを書き込み、その書き込まれた電子データに関連する画像を円形記録媒体のレーベル面に印刷する一連の操作を実行するために、特定画像記録手段とレーベル印刷手段とを更に備える。この特定画像記録手段は、前記データ取込部から取り込まれた電子データを前記データ記録部を用いて前記データ記録面に書き込む際に、前記無線ＩＣリーダ／ライタ部を用いて前記無線ＩＣタグにそのデータ取込部から取り込まれた電子データに関連する特定画像データを書き込む。また、レーベル印刷手段は、前記無線ＩＣリーダ／ライタ部を用いて前記無線ＩＣタグから前記特定画像データを読み込み、その読み込んだ特定画像データに基づく画像をレーベル面に印刷する。
従って、円形記録媒体のレーベル面に画像をレーベル印刷する場合に、無線ＩＣリーダ／ライタ部を用いて円形記録媒体の無線ＩＣタグから読み込んだ特定画像データを印刷に利用することができる。つまり、データ記録部を用いて円形記録媒体内にどんなコンテンツがあるのか確認したり、データ取込部やデータ記録部を用いてレーベル印刷用の画像データを取り込むことなく、レーベル印刷を行うことができる。
これにより、円形記録媒体に外部から取り込んだ電子データを書き込み、その書き込まれた電子データに関連する画像を円形記録媒体のレーベル面に印刷する一連の操作を簡単且つ確実に行うことができる。特に、レーベル印刷をデータ記録面への電子データの書込み（例えばバックアップ）後しばらくしてから行うような場合や、データ記録面への電子データの書込みのみを繰り返し行った後でまとめてレーベル印刷を行う場合には、その効果が顕著である。
【０００７】
好適には、前記特定画像データは、前記データ取込部から取り込まれた電子データの情報を表すレーベル印刷用の画像データである。つまり無線ＩＣタグのデータは、円形記録媒体に書き込まれている情報を表している。これにより、円形記録媒体に外部から取り込んだ電子データの内容を適切に表す画像やタイトルがレーベル印刷される。
【０００８】
また、好適には、前記データ取込部から取り込まれた電子データは、画像データであり、前記レーベル印刷用の画像データは、前記画像データのサムネイル画像であっても良い。つまり、レーベル印刷用の画像データは円形記録媒体内のデータより十分小サイズのデータである。これにより、無線ＩＣタグや無線ＩＣリーダ／ライタ部の負担が軽減される。
【０００９】
また、好適には、前記データ取込部から取り込まれた電子データは、音楽データであっても良い。これにより、円形記録媒体内のデータが画像データでなくとも円形記録媒体の内容を適切に表す画像やタイトルがレーベル印刷される。
【００１０】
さらに、本発明にかかる技術的思想は、上述した印刷システム以外の発明としても捉えることができる。一例として、上述した印刷システムにおける各手段に対応する工程を有する印刷システムの制御方法としても発明を把握することができる。すなわち、前記円形記録媒体と前記印刷装置とを備え、前記データ取込部から取り込まれた電子データを前記データ記録部を用いて前記データ記録面に書き込む際に、前記無線ＩＣリーダ／ライタ部を用いて前記無線ＩＣタグに該データ取込部から取り込まれた電子データに関連する特定画像データを書き込む特定画像記録工程と、前記無線ＩＣリーダ／ライタ部を用いて前記無線ＩＣタグから前記特定画像データを読み込み、当該読み込んだ特定画像データに基づく画像をレーベル面に印刷するレーベル印刷工程とを備える印刷システムの制御方法を把握することができる。
【００１１】
また、上述した印刷システムにおける各手段に対応する機能をコンピュータに実現させる印刷システムの制御プログラムとしても発明を把握することができる。すなわち、前記円形記録媒体と前記印刷装置とを備え、前記データ取込部から取り込まれた電子データを前記データ記録部を用いて前記データ記録面に書き込む際に、前記無線ＩＣリーダ／ライタ部を用いて前記無線ＩＣタグに該データ取込部から取り込まれた電子データに関連する特定画像データを書き込む特定画像記録機能と、前記無線ＩＣリーダ／ライタ部を用いて前記無線ＩＣタグから前記特定画像データを読み込み、当該読み込んだ特定画像データに基づく画像をレーベル面に印刷するレーベル印刷機能とを、コンピュータに実現させる印刷システムの制御プログラムを把握することができる。
【００１２】
また、上述した印刷システムにおける印刷装置のみでも発明を把握することができる。すなわち、円形記録媒体のレーベル面側に貼り付け乃至埋め込まれた無線ＩＣタグに電子データを読み書きする為の無線ＩＣリーダ／ライタ部と、前記円形記録媒体のデータ記録面に電子データを書き込む為のデータ記録部と、外部から電子データを取り込む為のデータ取込部と、前記データ取込部から取り込まれた電子データを前記データ記録部を用いて前記データ記録面に書き込む際に、前記無線ＩＣリーダ／ライタ部を用いて前記無線ＩＣタグに該データ取込部から取り込まれた電子データに関連する特定画像データを書き込む特定画像記録手段と、前記無線ＩＣリーダ／ライタ部を用いて前記無線ＩＣタグから前記特定画像データを読み込み、当該読み込んだ特定画像データに基づく画像を前記レーベル面に印刷するレーベル印刷手段とを、備える印刷装置を把握することができる。
また、上記印刷装置はキャリッジを備え、前記ＩＣリーダ／ライタ部は前記キャリッジに設けられている構成としてもよい。
【発明を実施するための最良の形態】
【００１３】
以下、下記の順序に従って、図面を参照しながら本発明の実施形態を説明する。
（１）印刷システムの概略構成
（２）レーベル印刷時の印刷装置の動作
（３）変形例
（４）まとめ
【００１４】
（１）印刷システムの概略構成
図１は本発明の一実施形態に係る印刷システム１００の外観図、図２はその印刷システム１００のブロック構成図を示している。図１、２において、印刷システム１００は、円形記録媒体としての例えばＣＤ／ＤＶＤメディア１０と印刷装置２０とからなるシステムである。
【００１５】
ＣＤ／ＤＶＤメディア１０は、電子データ（ファイル）の記録が可能なデータ記録面１０ａと、データ記録面１０ａの裏面であって印刷装置２０による印刷が可能なレーベル面１０ｂと、レーベル面１０ｂ側に貼り付けられた無線ＩＣタグ１０ｃとを備えている。このＣＤ／ＤＶＤメディア１０は、メモリカード３０等に記録された電子データをバックアップする際などに用いられるよく知られたＣＤ−Ｒ、ＣＤ−ＲＷ、ＤＶＤ−Ｒ、ＤＶＤ−ＲＷなどであり、特に、無線ＩＣタグ１０ｃが備えられたものである。無線ＩＣタグ１０ｃは、微小なＩＣチップとチップ用アンテナを備え、電磁誘導により電力を得てＩＣチップ内に電気的に電子データを書き込みまたは読み出すことができるＲＦＩＤタグ等の非接触型の無線ＩＣタグであり、本実施例ではよく知られたＮＦＣタグが用いられている。以下、無線ＩＣタグ１０ｃをＮＦＣタグ１０ｃと表す。
【００１６】
印刷装置２０は、制御部２１と、操作パネル２２と、Ｉ／Ｆ２３と、印刷機構部２４と、無線ＩＣリーダ／ライタ部としてのＮＦＣリーダ／ライタ２５と、データ記録部としてのＣＤ／ＤＶＤドライブ２６と、データ取込部としてのメモリカードドライブ２７とを備え、ホスト装置４０内のプリンタドライバから制御命令を受けて印刷を実行するプリンタである。尚、この印刷装置２０は、ホスト装置４０なしでメモリカード３０と直接接続して印刷を実行する所謂ダイレクトプリンタでもある。また、ホスト装置４０なしでメモリカード３０内の電子データをＣＤ／ＤＶＤメディア１０にバックアップすることが可能である。
【００１７】
制御部２１は、ＣＰＵ、ＲＡＭ、ＲＯＭ、メモリ制御部、不揮発性ＲＡＭ等を備え、ホスト装置４０から受信した印刷ジョブデータに応じた内容の印刷物を印刷機構部２４に生成させる処理、印刷装置２０の状態（利用可能な機能や消耗品の残量等）を表すステータス情報をそれを要求した機器に返送する処理等を行うユニットである。
このＣＰＵは、ＲＯＭ等に記憶されたプログラムに従って制御部２１内の各部を統合的に制御する。ＲＡＭは、Ｉ／Ｆ２３等が受信した印刷ジョブデータやその印刷ジョブデータに基づきＣＰＵが生成したデータなどの一時記憶に用いられるメモリである。ＲＯＭは、ＣＰＵがＲＡＭにロードして実行する各種のプログラムが圧縮された状態で記憶されている不揮発性メモリである。メモリ制御部は、ＣＰＵの指示に従って、Ｉ／Ｆ２３等からＲＡＭにデータを転送する処理や、ＲＡＭから印刷機構部２４内のプリンタエンジンへデータを転送する処理などを行う。不揮発性ＲＡＭは、電源が落とされても保持しておくべき各種の情報の記憶装置として、印刷装置２０（制御部２１）に搭載されている書き換え可能な不揮発性メモリ（例えばＥＥＰＲＯＭやＮＶＲＡＭ）である。
【００１８】
操作パネル２２は、ユーザと印刷装置２０（制御部２１）との間のユーザインタフェースユニットである。この操作パネル２２は、ユーザー操作を受け付ける複数の押しボタンスイッチ、印刷装置２０の状態に関する各種のメッセージを表示するためのＬＣＤ（液晶ディスプレイ）等を備えたユニットである。ここでのユーザー操作とは、例えば印刷レイアウトの指示を受け付けたり、印刷対象の画像データの選択を受け受けたり、メモリカード３０内の電子データのバックアップ要求を受け付けたりする操作である。
Ｉ／Ｆ２３は、ＵＳＢインターフェース回路等を備え、ホスト装置４０との間で通信（情報交換）を行うためのインターフェースである。
印刷機構部２４は、紙送り装置、印刷トレイ５０、プリンタエンジン等を備え、給紙された用紙上への印刷や印刷トレイ５０に置かれたＣＤ／ＤＶＤメディア１０のレーベル面１０ｂへのレーベル印刷を実際に行う機構である。
【００１９】
ＮＦＣリーダ／ライタ２５は、ＮＦＣタグ１０ｃのチップ用アンテナと無線通信することによりＩＣチップに読み書きを行う為の読み書き用アンテナ等を備え、例えば制御部２１の命令に従って、無線通信によりＮＦＣタグ１０ｃに電子データを読み書きすることができる。このＮＦＣリーダ／ライタ２５は、図３に示すように、少なくともＣＤ／ＤＶＤドライブ２６が配置される近傍と印刷トレイ５０が配置される近傍とにそれぞれ配置され、ＣＤ／ＤＶＤドライブ２６に挿入されたＣＤ／ＤＶＤメディア１０のＮＦＣタグ１０ｃ及び印刷トレイ５０に置かれたＣＤ／ＤＶＤメディア１０のＮＦＣタグ１０ｃと無線通信が可能とされる。
【００２０】
ＣＤ／ＤＶＤドライブ２６は、例えば制御部２１の命令に従って、ＣＤ／ＤＶＤメディア１０のデータ記録面１０ａに記録されている電子データを読み出したり、削除したり、書き換えたり、データ記録面１０ａに新たに電子データを書き込むことができる。
メモリカードドライブ２７は、外部からの電子データすなわちこの実施例ではメモリカード３０内の電子データを取り込むことができる。また、メモリカードドライブ２７は、例えば制御部２１の命令に従って、メモリカード３０に記録されている電子データを削除したり、書き換えたり、メモリカード３０に新たに電子データを書き込むことができる。
【００２１】
ホスト装置４０は、例えば印刷装置２０が接続された一般的な構成のコンピュータ（ＯＳ、Ｗｅｂブラウザ等がインストールされたコンピュータ）に、印刷装置２０用に開発された印刷装置制御用プログラム及びユーティリティプログラムをインストールしたパーソナルコンピュータ等である。印刷装置制御用プログラムは、アプリケーションプログラム（及びＯＳ）から渡された印刷対象ドキュメントに関するデータに基づき、印刷装置２０に供給する印刷ジョブデータを生成するプログラム（いわゆるプリンタドライバ）となっている。一方、ユーティリティプログラムは、ホスト装置４０のユーザに、印刷装置２０内に記憶されているリザーブジョブデータ（主として、自身が記憶させたもの）を簡単に利用できる環境を提供するためのプログラムである。
【００２２】
上述のように構成された印刷システム１００において、特に、制御部２１は、メモリカードドライブ２７から取り込まれたメモリカードドライブ２７内の電子データをＣＤ／ＤＶＤドライブ２６を用いてＣＤ／ＤＶＤメディア１０のデータ記録面１０ａに書き込む際に、ＮＦＣリーダ／ライタ２５を用いてＮＦＣタグ１０ｃにメモリカードドライブ２７から取り込まれた電子データに関連する特定画像データを書き込む特定画像記録手段と、ＮＦＣリーダ／ライタ２５を用いてＮＦＣタグ１０ｃからその特定画像データを読み込み、読み込んだ特定画像データに基づく画像をＣＤ／ＤＶＤメディア１０のレーベル面１０ｂに印刷するレーベル印刷手段とを機能的に備えている。
【００２３】
本実施例では、メモリカードドライブ２７から取り込まれた電子データすなわちメモリカード３０内の電子データは、例えばデジタルカメラで撮影した本画像データ、音楽データ等である。また、上記特定画像データは、メモリカードドライブ２７から取り込まれた電子データの情報を表すレーベル印刷用の画像データである。つまりＮＦＣタグ１０ｃには、ＣＤ／ＤＶＤメディア１０に書き込まれている情報を表す画像データが書き込まれる。ここでのレーベル印刷用の画像データは、本画像データそのものでも良いが、メモリ等の容量を考慮して本画像データより十分小サイズのデータである小画像データ（サムネイルデータ）が望ましい。また、本画像データや音楽データの内容を表すレーベル印刷用の印刷イメージも想定される。
これにより、メモリカード３０から取り込んだ電子データの内容を適切に表す画像やタイトルがＣＤ／ＤＶＤメディア１０にレーベル印刷される。また、メモリカードドライブ２７内の電子データすなわちＣＤ／ＤＶＤメディア１０内のデータが画像データでなくともＣＤ／ＤＶＤメディア１０の内容を適切に表す画像やタイトルがレーベル印刷される。
尚、ＮＦＣタグ１０ｃには、音楽データそのものや、音楽データの一部、ファイル名、アセットデータ（MPVマニフェスト）などＣＤ／ＤＶＤメディア１０内の電子データより十分小サイズのデータ、画像の撮影日付、ＧＰＳなどを利用した画像の撮影位置、その他画像の撮影にかかわるユーザ指定の情報（例えばタイトル等）が書き込まれても良い。また、画像の撮影日付、画像の撮影位置、タイトル等は画像データと同様にレーベル印刷に利用しても良い。これら画像の撮影日付、画像の撮影位置、タイトル等も上記特定画像データであると言える。
【００２４】
（２）レーベル印刷時の印刷装置の動作
図４は、印刷装置２０の制御部２１が例えばＲＯＭに記憶された所定のプログラムに従って実行するレーベル印刷時の制御作動を示すフローチャートである。
図４において、ステップＳ１０（以下、ステップの記載は省略する）にて例えば画像データが記録されているメモリカード３０がメモリカードドライブ２７に挿入され、ＣＤ／ＤＶＤメディア１０がＣＤ／ＤＶＤドライブ２６に挿入されると、メモリカード３０が認識され、メモリカード３０内の画像データをＣＤ／ＤＶＤメディア１０へバックアップする準備が整えられる。次いで、Ｓ２０において、操作パネル２２のＬＣＤ上に例えば図５（ａ）に示すようなＣＤ／ＤＶＤメディア１０へバックアップする画像を選択する為の選択画面が表示され、操作パネル２２におけるユーザー操作による画像の選択が受け付けられる。Ｓ２０における操作が完了すると、続くＳ３０において、例えば図５（ａ）と同様の選択画面が表示され、操作パネル２２におけるユーザー操作によるＮＦＣタグ１０ｃに保存する特定画像データの選択（及び／または入力）が受け付けられる。Ｓ３０における操作が完了すると、続くＳ４０において、操作パネル２２におけるユーザー操作によって選択されたメモリカード３０内の画像データがＣＤ／ＤＶＤメディア１０へ書き込まれる（バックアップされる）。次いで、Ｓ５０において、操作パネル２２におけるユーザー操作によって選択（入力）された特定画像データがＮＦＣタグ１０ｃへ書き込まれる。次いで、Ｓ６０において、メモリカード３０がメモリカードドライブ２７から抜き出され、ＣＤ／ＤＶＤメディア１０がＣＤ／ＤＶＤドライブ２６から抜き出されると、上記一連のバックアップ作業が終了させられる。
【００２５】
次いで、Ｓ７０において、バックアップされたＣＤ／ＤＶＤメディア１０が印刷トレイ５０に置かれると、続くＳ８０において、ＮＦＣタグ１０ｃから特定画像データが読み込まれる。次いで、Ｓ９０において、例えば図５（ａ）と同様の選択画面や図５（ｂ）に示すようなＣＤ／ＤＶＤメディア１０へのレーベル印刷時の印刷レイアウトを選択する為の選択画面が表示され、レーベル印刷する画像の選択や印刷レイアウトの選択等の操作パネル２２におけるユーザー操作によるレーベル印刷設定の入力が受け付けられる。Ｓ９０における操作が完了すると、続くＳ１００において、上記レーベル印刷設定に基づいてＣＤ／ＤＶＤメディア１０のレーベル面１０ｂへ所定の画像が印刷される。次いで、Ｓ１１０において、ＣＤ／ＤＶＤメディア１０が印刷トレイ５０から取り出されると、上記一連のレーベル印刷作業が終了させられる。
【００２６】
（３）変形例
ＮＦＣタグ１０ｃは、図６に示すようにＩＣチップ１０ｃ１とＣＤ／ＤＶＤメディア１０のレーベル面１０ｂの周方向に沿って配置されるチップ用アンテナ１０ｃ２とで構成されても良い。これにより、ＮＦＣリーダ／ライタ２５とチップ用アンテナ１０ｃ２との無線通信がより良好とされる。
【００２７】
（４）まとめ
上記のように構成された印刷システム１００において、ＣＤ／ＤＶＤメディア１０のレーベル面１０ｂに画像をレーベル印刷する場合に、ＮＦＣリーダ／ライタ２５を用いてＣＤ／ＤＶＤメディア１０のＮＦＣタグ１０ｃから読み込んだ特定画像データを印刷に利用することができる。つまり、ＣＤ／ＤＶＤドライブ２６を用いてＣＤ／ＤＶＤメディア１０内にどんなコンテンツがあるのか確認したり、メモリカードドライブ２７やＣＤ／ＤＶＤドライブ２６を用いてレーベル印刷用の画像データを取り込むことなく、レーベル印刷を行うことができる。
これにより、ＣＤ／ＤＶＤメディア１０にメモリカード３０から取り込んだ電子データを書き込み、その書き込まれた電子データに関連する画像をＣＤ／ＤＶＤメディア１０のレーベル面１０ｂに印刷する一連の操作を簡単且つ確実に行うことができる。特に、レーベル印刷をデータ記録面１０ａへの電子データの書込み（例えばバックアップ）後しばらくしてから行うような場合や、データ記録面１０ａへの電子データの書込みのみを繰り返し行った後でまとめてレーベル印刷を行う場合には、その効果が顕著である。
【００２８】
以上、本発明の実施例を図面に基づいて詳細に説明したが、本発明はその他の態様においても適用される。
例えば、前述の実施例では、ＮＦＣリーダ／ライタ２５はＣＤ／ＤＶＤドライブ２６が配置される近傍と印刷トレイ５０が配置される近傍とで少なくとも２つ配置されたが、ＣＤ／ＤＶＤドライブ２６の配置位置と印刷トレイ５０の配置位置とが例えば垂直方向に重なる場合には、ＮＦＣリーダ／ライタ２５も同様にその重なる位置の近傍に少なくとも１つ配置されるようにしても良い。
また、前述の実施例では、図４のフローチャートのＳ３０において、操作パネル２２におけるユーザー操作によりＮＦＣタグ１０ｃに保存する特定画像データが選択されたが、Ｓ２０において選択されたＣＤ／ＤＶＤメディア１０へのバックアップ画像に基づいて自動的に特定画像データを作成しても良い。例えば、バックアップ画像のサムネイル画像等をレーベル印刷に使うことを考慮して作成しても良い。
また、本発明にかかる技術的思想は、上述した印刷システム１００以外の発明としても捉えることができる。一例として、上述した印刷システム１００における各手段に対応する工程を有する印刷システム１００の制御方法としても発明を把握することができる。また、上述した印刷システム１００における各手段に対応する機能を制御部２１に実現させる印刷システム１００の制御プログラムとしても発明を把握することができる。さらに、上述した印刷システム１００における印刷装置２０のみでも発明を把握することができる。
なお、上述したのはあくまでも一実施形態であり、本発明は当業者の知識に基づいて種々の変更、改良を加えた態様で実施することができる。
【００２９】
なお、印刷機構部２４は、例えば、インクカードリッジからのインクの供給を受けてインクを吐出する印刷ヘッドや、印刷ヘッドからのインク吐出を制御する印刷ヘッド駆動回路や、印刷ヘッドを移動させるキャリッジや、印刷用紙の給紙・排紙を行う紙送り機構など、種々の機構からなっていても良い。
また、そのような印刷機構部を備える印刷装置（シリアルプリンタ）である場合には、ＮＦＣリーダ／ライタ２５をキャリッジに設けることが望ましい。ＮＦＣリーダ／ライタ２５をキャリッジに設けることにより、通信距離の短いＮＦＣ規格であっても、複数のＮＦＣリーダ／ライタを印刷装置に設けることなく、ＮＦＣリーダ／ライタが設けられたキャリッジを移動させることによりレーベル面の任意の位置に貼り付け乃至埋め込まれた無線ＩＣタグから電子データを適切に取り込むことができる。
【図面の簡単な説明】
【００３０】
【図１】本発明の印刷システムを例示する外観図である。
【図２】印刷システムの概略構成を例示するブロック構成図である。
【図３】ＮＦＣリーダ／ライタの配置の一例を示す概略図である。
【図４】制御部が実行する制御作動を示すフローチャートである。
【図５】バックアップ時やレーベル印刷時のユーザ操作画面を例示する図である。
【図６】ＮＦＣタグの構成の変形例を示す図である。
【符号の説明】
【００３１】
１０：ＣＤ／ＤＶＤメディア（円形記録媒体）、１０ａ：データ記録面、１０ｂ：レーベル面、１０ｃ：ＮＦＣタグ（無線ＩＣタグ）、２０：印刷装置、２１：制御部（特定画像記録手段、特定画像記録工程、特定画像記録機能、レーベル印刷手段、レーベル印刷工程、レーベル印刷機能、コンピュータ）、２５：ＮＦＣリーダ／ライタ（無線ＩＣリーダ／ライタ部）、２６：ＣＤ／ＤＶＤドライブ（データ記録部）、２７：メモリカードドライブ（データ取込部）、３０：メモリカード（外部）、１００：印刷システム
【図１】
2009208465.tif 000003
【図２】
2009208465.tif 000004
【図３】
2009208465.tif 000005
【図４】
2009208465.tif 000006
【図５】
2009208465.tif 000007
【図６】
2009208465.tif 000008